(57)【特許請求の範囲】
【請求項１】
底壁及び側壁を含んで金属で形成され、内部に保護対象を収容可能に構成されて、屋内又は屋外に常設された本体部と、
前記側壁に形成され、内部空間と外部空間とを連通する通気孔と、
金属で形成され、直線的に傾斜した１の傾斜面によって前記本体部の上部の開口を閉塞すると共に、該傾斜面の下端が前記本体部に接続された上壁部と、
を有し、
前記側壁は、矩形状に形成された前記底壁の周端部に立設されており、
前記側壁同士が前記本体部の角部に垂直に配設された４本の柱によって連結されており、
前記上壁部の前記傾斜面は、４本の前記柱のうち、最も高い第１柱から、該第１柱と対向する最も低い第２柱へ向かって下方に傾斜した平板状の部材によって形成されており、
前記本体部の外面において、前記第１柱の上端部に牽引フックが設けられている保護対象収容体。
【請求項２】
前記牽引フックは、前記本体部を左右対称に分断する対称軸上に設けられている請求項１に記載の保護対象収容体。
【請求項３】
前記本体部の内部には、生活に必要な機能を備えた生活機能品が収容されている請求項１又は２に記載の保護対象収容体。
【請求項４】
前記本体部の内部には、前記生活機能品としての机及び椅子と、該椅子に着座した利用者の腰部の左右に設けられて腰の移動を拘束する右側拘束クッション及び左側拘束クッションと、該椅子に着座した利用者の頭部の左右に設けられて頭部を保護する右側頭部クッション及び左側頭部クッションと、が収容されている請求項３に記載の保護対象収容体。
【請求項５】
前記右側拘束クッション及び左側拘束クッションと、前記右側頭部クッション及び左側頭部クッションとの間には、前記椅子に着座した利用者が腕を通すための左右一対の拘束ベルトが設けられている請求項４に記載の保護対象収容体。
【請求項６】
前記本体部の外面にはイラストが描かれている請求項１〜５の何れか１項に記載の保護対象収容体。
【発明の詳細な説明】
【技術分野】
【０００１】
本発明は、保護対象収容体に関する。
【背景技術】
【０００２】
特許文献１には、被保護体を収容して水面上に浮遊可能な被保護体収容浮遊体が開示されている。この特許文献１に記載の浮遊体は、直方体状をなして上部が開口された箱体を備えており、箱体の開口はドーム状のカバー体によって開閉可能に閉じられている。
【先行技術文献】
【特許文献】
【０００３】
【特許文献１】特許第５８２９０７５号公報
【発明の概要】
【発明が解決しようとする課題】
【０００４】
しかしながら、上記特許文献１に記載された浮遊体では、地震などの災害時において落下物が衝突した場合には、カバー体（上壁部）が曲げ変形する。この対策として、カバー体を剛体などで形成した場合、重量が増加してしまい、搬送が困難となる。
【０００５】
本発明は上記事実を考慮し、重量の増加を抑制しつつ、保護対象を良好に保護することができる保護対象収容体を得ることを目的とする。
【課題を解決するための手段】
【０００６】
請求項１に記載の保護対象収容体は、底壁及び側壁を含んで金属で形成され、内部に保護対象を収容可能に構成されて、屋内又は屋外に常設された本体部と、前記側壁に形成され、内部空間と外部空間とを連通する通気孔と、金属で形成され、直線的に傾斜した１の傾斜面によって前記本体部の上部の開口を閉塞すると共に、該傾斜面の下端が前記本体部に接続された上壁部と、を有し、前記側壁は、矩形状に形成された前記底壁の周端部に立設されており、前記側壁同士が前記本体部の角部に垂直に配設された４本の柱によって連結されており、前記上壁部の前記傾斜面は、４本の前記柱のうち、最も高い第１柱から、該第１柱と対向する最も低い第２柱へ向かって下方に傾斜した平板状の部材によって形成されており、前記本体部の外面において、前記第１柱の上端部に牽引フックが設けられている。
【０００７】
請求項１に記載の保護対象収容体では、本体部は、底壁及び側壁を含んで金属で形成されており、内部に保護対象を収容可能とされている。また、本体部の上部の開口は、金属で形成された上壁部によって閉塞されている。さらに、側壁には通気孔が形成されており、この通気孔によって本体部の内部空間と外部空間とが連通されている。これにより、本体部の上部を上壁部によって閉塞した場合であっても、本体部の内部を換気することができる。
【０００８】
ここで、上壁部を構成する１の傾斜面は、直線的に傾斜しており、それぞれの傾斜面の下端が本体部に接続されている。これにより、地震などの災害時において上壁部に落下物が衝突した場合であっても、上壁部によって落下物をいなすことができる。この結果、落下物から入力された荷重方向が横方向ベクトルに分散され、落下物の重量を上壁部で負担せずに済む。
【０００９】
また、傾斜面が直線状に傾斜されているため、軸圧縮する方向に荷重が入力され、オイラー座屈モードとなるように上壁部から本体部へ荷重を伝達させることができる。この結果、曲げモードで変形する構造と同じ肉厚で上壁部を形成した場合であっても、曲げモードの構造と比較して強度を向上させることができる。
さらに、本体部は、矩形状の底壁の周端部に立設された側壁と、側壁同士を連結する４つの柱とを含んで箱状に形成されている。ここで、４つの柱のうち、第１柱が最も高く、第２柱が最も低く形成されている。また、上壁部の傾斜面は、最も高い第１柱から第１柱と対向する最も低い第２柱へ向かって下方に傾斜した平板状の部材によって形成されている。これにより、上壁部へ入力された荷重を、第１柱から地面へ伝達させることができる。
【００１１】
さらに、本体部の外面に牽引フックを設けることで、容易に保護対象収容体を被災地などから搬送することができる。
【００１２】
請求項２に記載の保護対象収容体は、請求項１において、前記牽引フックは、前記本体部を左右対称に分断する対称軸上に設けられている。
【００１３】
請求項２に記載の保護対象収容体では、牽引時に本体部の左右を流れる流体から受ける外力が左右で同程度となり、本体部が流体からの外力を受けて左右に揺動するのを抑制することができる。
【００１４】
請求項３に記載の保護対象収容体は、請求項１又は２において、前記本体部の内部には、生活に必要な機能を備えた生活機能品が収容されている。
【００１５】
請求項３に記載の保護対象収容体では、本体部の内部に予め生活機能品が収容されているため、日常的に保護対象収容体を利用することができる。また、災害時には、保護対象収容体の内部に逃げ込むことで、災害から身を守ることができる。この結果、専用のシェルターなどを用意する必要がない。なお、ここでいう「生活機能品」とは、シャワー、トイレ、ベッド、机及び椅子など、日常生活で利用する物を広く含む概念である。
請求項４に記載の保護対象収容体は、請求項３において、前記本体部の内部には、前記生活機能品としての机及び椅子と、該椅子に着座した利用者の腰部の左右に設けられて腰の移動を拘束する右側拘束クッション及び左側拘束クッションと、該椅子に着座した利用者の頭部の左右に設けられて頭部を保護する右側頭部クッション及び左側頭部クッションと、が収容されている。
【００１６】
請求項５に記載の保護対象収容体は、請求項４において前記右側拘束クッション及び左側拘束クッションと、前記右側頭部クッション及び左側頭部クッションとの間には、前記椅子に着座した利用者が腕を通すための左右一対の拘束ベルトが設けられている。
【００１８】
請求項６に記載の保護対象収容体は、請求項１〜５の何れか１項において、本体部の外面にはイラストが描かれている。
【００１９】
請求項６に記載の保護対象収容体では、本体部の外面にイラストを描くことにより、保護対象収容体に対する災害のイメージを払拭することができる。特に、子供に対して楽しいイメージを付与することができ、災害時に抵抗なく保護対象収容体に入るように促すことができる。
【発明の効果】
【００２０】
以上説明したように、本発明に係る保護対象収容体によれば、重量の増加を抑制しつつ、保護対象を良好に保護することができる。
【図面の簡単な説明】
【００２１】
【図１】第１実施形態に係る保護対象収容体の斜視図である。
【図２】第１実施形態に係る保護対象収容体の側断面図である。
【図３】第１実施形態に係る保護対象収容体の変形例を示す斜視図である。
【図４】参考例に係る保護対象収容体の斜視図である。
【図５】参考例に係る保護対象収容体の斜視図である。
【図６】参考例に係る保護対象収容体の斜視図である。
【図７】参考例に係る保護対象収容体の斜視図である。
【図８】参考例に係る保護対象収容体の斜視図である。
【図９】参考例に係る保護対象収容体の斜視図である。
【発明を実施するための形態】
【００２２】
＜第１実施形態＞
実施形態に係る保護対象収容体１０について、図面を参照して説明する。
【００２３】
図１に示されるように、本実施形態に係る保護対象収容体１０は、鉄を主成分とする金属製の本体部１２と上壁部１４とを含んで構成されている。また、本実施形態の保護対象収容体１０は、一例として、家の中、ガレージ、幼稚園、学校、病院、オフィス、工場、港、遊園地、公園及びサービスエリアの中などに設置されている。
【００２４】
本体部１２は、底壁１６と、底壁１６の周端部に立設された４つの側壁（第１側壁１８、第２側壁２０、第３側壁２２及び第４側壁）と、側壁同士を連結する柱（第１柱２８、第２柱３０、第３柱３２及び第４柱３４）とを含んで略箱状に形成されている。底壁１６は、本体部１２の床面を構成しており、平面視で略矩形状に形成されている。
【００２５】
第１側壁１８は、底壁１６の４辺のうちの１辺の周端部に立設されており、第１側壁１８の幅方向一端部は第１柱２８に接続されている。また、第１側壁１８の幅方向他端部は、第３柱３２に接続されている。そして、第１側壁１８は、第１柱２８から第３柱３２へ向かうにつれて徐々に高さが低くなるように上端面が傾斜している。また、第１側壁１８の上端部には上壁部１４が取り付けられている。上壁部１４の詳細については後述する。
【００２６】
第２側壁２０は、底壁１６の４辺のうちの１辺の周端部に立設されており、第２側壁２０の幅方向一端部は第１柱２８に接続されている。すなわち、第１柱２８によって第１側壁１８と第２側壁２０とが連結されている。また、第２側壁２０の幅方向他端部は、第４柱３４に接続されている。そして、第２側壁２０は、第１柱２８から第４柱３４へ向かうにつれて徐々に高さが低くなるように上端面が傾斜している。
【００２７】
第３側壁２２は、底壁１６の４辺のうちの１辺の周端部に立設されており、第３側壁２２の幅方向一端部は第３柱３２に接続されている。すなわち、第３柱３２によって第１側壁１８と第３側壁２２とが連結されている。また、第３側壁２２の幅方向他端部は、第２柱３０に接続されている。そして、第３側壁２２は、第３柱３２から第２柱３０へ向かうにつれて徐々に高さが低くなるように上端面が傾斜している。
【００２８】
第４側壁２４は、底壁１６の４辺のうちの１辺の周端部に立設されており、第４側壁２４の幅方向一端部は第４柱３４に接続されている。すなわち、第４柱３４によって第２側壁２０と第４側壁２４とが連結されている。また、第４側壁２４の幅方向他端部は、第２柱３０に接続されている。すなわち、第２柱３０によって第３側壁２２と第４側壁２４とが連結されている。そして、第４側壁２４は、第４柱３４から第２柱３０へ向かうにつれて徐々に高さが低くなるように上端面が傾斜している。
【００２９】
以上のように、第１柱２８、第２柱３０、第３柱３２及び第４柱３４のうち、第１柱２８が最も高く形成され、第１柱２８と対向する第２柱３０が最も低く形成されている。また、第３柱３２と第４柱３４とは、略同じ高さとなっており、第１柱２８よりも低く、かつ、第２柱３０よりも高く形成されている。
【００３０】
本体部１２は、内部には保護対象である物や人が収容可能な大きさに形成されている。そして、この開口１２Ａが上壁部１４によって閉塞される。上壁部１４の詳細は後述する。
【００３１】
ここで、本体部１２には通気孔２６が形成されている。通気孔２６は、第２側壁２０の上部に形成されて第２側壁２０を板厚方向に貫通しており、この通気孔２６によって本体部１２の内部空間と外部空間とが連通されている。また、通気孔２６の位置は、保護対象収容体１０の水没時に水面よりも上方に位置するように設計されている。さらに、通気孔２６は、開閉できるように構成してもよい。
【００３２】
第１側壁１８における第３側壁２２側の上部には、室内灯３６が設けられており、第２側壁２０における第４側壁２４側の上部には、室内灯３８が設けられている。室内灯３６及び室内灯３８は、本体部１２の外部に設けられた図示しない電力供給部からケーブルを介して電力が供給されることで点灯するように構成されている。
【００３３】
本体部１２の内部には、生活機能品としての机５２及び椅子５０が収容されている。椅子５０は、平面視で略三角形状に形成されており、第１側壁１８と第２側壁２０とで囲まれた領域に設けられている。
【００３４】
椅子５０は、中空状に形成されており、この椅子５０の内部空間には図示しない防災用品が収納されている。例えば、防災用品として、水、食料及び簡易トイレなどが収納されている。また、椅子５０には開閉可能な扉５１が設けられており、この扉５１を開けることで椅子５０の内部空間から防災用品を出し入れ可能となっている。
【００３５】
椅子５０の上面には、左側拘束クッション４４及び右側拘束クッション４６が設けられている。左側拘束クッション４４は、椅子５０及び第１側壁１８に固定されており、右側拘束クッション４６は、椅子５０及び第２側壁２０に固定されている。そして、これらの左側拘束クッション４４と右側拘束クッション４６とで利用者Ｐの腰部の移動を拘束する（図２参照）。
【００３６】
左側拘束クッション４４及び右側拘束クッション４６の上方には、左右一対の拘束ベルト４８が設けられている。そして、利用者Ｐが拘束ベルト４８に腕を通すことで、本体部１２に衝撃が入力された場合であっても乗員の慣性移動を抑制できるように構成されている（図２参照）。
【００３７】
左右一対の拘束ベルト４８の上方には、左側頭部クッション４０及び右側頭部クッション４２が設けられている。左側頭部クッション４０は、第１側壁１８の上部に固定されており、右側頭部クッション４２は、第２側壁２０の上部に固定されている。そして、これらの左側頭部クッション４０及び右側頭部クッション４２によって利用者Ｐの頭部が保護される。
【００３８】
一方、机５２は、平面視で略三角形状に形成されており、第３側壁２２と第４側壁２４とで囲まれた領域に設けられている。具体的には、机５２は、第３側壁２２及び第４側壁２４に掛け渡されており、机５２の下には利用者Ｐが足を入れるための空間が設けられている。
【００３９】
机５２の下の空間には、空調装置５４及び酸素ボンベ５６が配設されている。空調装置５４は、本体部１２の内部の空気を吸引し、温度調節した空気を吹き出すように構成されている。また、空調装置５４は、本体部１２の外部に設けられた図示しない電力供給部からケーブルを介して電力が供給されることで作動するように構成されている。なお、空調装置５４、室内灯３６及び室内灯３８は、利用者Ｐがリモートコントローラを操作することでＯＮ、ＯＦＦできるように構成してもよい。
【００４０】
酸素ボンベ５６は、保護対象収容体１０の水没時などに用いられる。また、酸素ボンベ５６には、使用方法が記載されていてもよい。
【００４１】
ここで、図２に示されるように、本体部１２の外面には、牽引フック６８が設けられている。牽引フック６８は、クレーンなどのフックＦを引掛けられる形状に形成されており、第１側壁１８と第２側壁２０とを連結する第１柱２８の上端部に固定されている。ここで、第１柱２８と第１柱３０とを繋ぐ直線は、本体部１２を左右対称に分断する対称軸であるため、牽引フック６８は対称軸上に設けられている。一方、第２柱３０の下端部には、牽引フック６９が固定されている。
【００４２】
図１に示されるように、第４側壁２４の上端部には、間隔をあけて一対のロック部５８が設けられている。ロック部５８はそれぞれ、上壁部１４に設けられた突起部６２が差し込まれる差込孔が形成されている。
【００４３】
上壁部１４は、略矩形板状に形成されており、一対のヒンジ６０を介して第１側壁１８に取付けられている。そして、この上壁部１４を閉じることによって本体部１２の開口１２Ａが閉塞されるように構成されている。
【００４４】
上壁部１４には、一対のロック部５８と対応する位置に突起部６２が形成されており、上壁部１４を閉じた際に、突起部６２がロック部５８の差込孔に差し込まれる。このとき、図示しないロック機構によって上壁部１４が不用意に開かないようにロックさせてもよい。また、ロックは本体部１２の内側から解除することができるように構成してもよい。
【００４５】
上壁部１４の中央部には、強化ガラスで形成された窓部１４Ａが設けられている。このため、上壁部１４を閉じた状態でも、本体部１２の内側の利用者Ｐが外部の状況を視認することができる。
【００４６】
また、上壁部１４には、略Ｕ字状の把持部６４が設けられており、この把持部６４を把持して上壁部１４の開閉を行うことができるように構成されている。
【００４７】
ここで、図２に示されるように、上壁部１４は、その全体が直線状に傾斜された傾斜面を構成しており、この傾斜面の下端が本体部１２に接続されている。具体的には、上壁部１４は、閉じた状態で第１柱２８側よりも第２柱３０側が下方に位置するように傾斜しており、上壁部１４の下端部が第２柱３０に支持されている。そして、この上壁部１４によって本体部１２を構成する第１側壁１８、第２側壁２０、第３側壁２２及び第４側壁２４が連結された状態となる。
【００４８】
（作用）
次に、本実施形態の作用を説明する。
【００４９】
本実施形態に係る保護対象収容体１０は、本体部１２には通気孔２６が形成されており、この通気孔２６によって本体部１２の内部空間と外部空間とが連通されている。これにより、本体部１２の上部を上壁部１４によって閉塞した場合であっても、本体部１２の内部を換気することができる。
【００５０】
また、上壁部１４は、直線的に傾斜した１つ又は複数の傾斜面によって第１側壁１８、第２側壁２０、第３側壁２２及び第４側壁２４を連結する。これにより、地震などの災害時において上壁部１４に落下物が衝突した場合であっても、上壁部１４によって落下物をいなすことができる。この結果、落下物から入力された荷重方向が横方向ベクトルに分散され、落下物の重量を上壁部１４で負担せずに済む。すなわち、重量の増加を抑制しつつ、保護対象を良好に保護することができる。
【００５１】
また、上壁部１４の傾斜面が直線状に傾斜されており、この上壁部１４の下端が第２柱（本体部１２）に接続されている。これにより、軸圧縮する方向に荷重が入力され、オイラー座屈モードとなるように上壁部から本体部へ荷重を伝達させることができる。本実施形態では、図２において、第１柱２８に対して軸圧縮する方向に荷重が入力される。この結果、曲げモードで変形する構造と同じ肉厚で上壁部１４を形成した場合であっても、曲げモードの構造と比較して強度を向上させることができる。
【００５２】
さらに、本実施形態では、本体部１２の外面に牽引フック６８を設けることで、容易に保護対象収容体１０を被災地から搬送することができる。特に、本実施形態では、左右対称となる対称軸上に牽引フック６８が設けられている。このため、牽引時に本体部１２の左右を流れる流体（空気又は水）から受ける外力が左右で同程度となり、保護対象収容体１０が流体からの外力を受けて左右に揺動するのを抑制することができる。
【００５３】
さらにまた、本実施形態では、本体部１２の内部に予め生活機能品である机５２及び椅子５０が収容されているため、日常的に保護対象収容体１０を利用することができる。例えば、本実施形態では、パーソナルコンピュータやタブレットなどを持ち込んでワーキングスペースとして利用することができる。そして、災害時には、保護対象収容体１０の内部に逃げ込むことで、災害から身を守ることができる。この結果、専用のシェルターなどを用意する必要がない。
【００５４】
また、本実施形態では、図１に示されるように、本体部１２は、底壁１６と４つの側壁（第１側壁１８、第２側壁２０、第３側壁２２及び第４側壁２４）と、４本の柱（第１柱２８、第２柱３０、第３柱３２及び第４柱３４）とを含んで箱状に形成されている。ここで、４本の柱のうち、第１柱２８が最も高く、第２柱３０が最も低く形成されている。また、上壁部１４は、傾斜面が第１柱２８側よりも第２柱３０側が下方に位置するように傾斜した平板状の部材によって形成されている。これにより、上壁部１４へ入力された荷重を、第１柱２８から地面へ伝達させることができる。
【００５５】
なお、本実施形態では、本体部１２の上部の開口１２Ａを上壁部１４で閉塞する構成としたが、これに限定されない。例えば、図３に示される変形例の構成を採用してもよい。
【００５６】
（変形例）
図３に示されるように、本変形例に係る保護対象収容体７０は、本体部１２の上部が上壁部７２によって閉塞されている。また、実施形態における第１側壁１８に代えて扉７４が設けられている。
【００５７】
具体的には、保護対象収容体７０の上壁部７２は、本体部１２を構成する底壁１６、第２側壁２０、第３側壁２２、第４側壁２４、第１柱２８、第２柱３０、第３柱３２及び第４柱３４の上端部に固定されている（底壁１６及び第２側壁２０については図１参照）。また、上壁部７２の中央部には、強化ガラスで形成された窓部７２Ａが設けられている。
【００５８】
扉７４は、上下一対のヒンジ７６を介して第３柱３２に連結されており、開閉可能に構成されている。そして、扉７４を閉じることで、本体部１２の開口が閉塞される。また、扉７４には把持部７８が設けられており、この把持部７８を把持しながら扉７４を容易に開閉することができる。なお、扉７４における把持部７８が設けられた面とは反対側の面にも図示しない把持部が設けられており、利用者が本体部１２の内部から扉７４を開けやすいように構成されている。
【００５９】
ここで、上壁部７２は、第１実施形態の上壁部１４と同様に、その全体が直線状に傾斜された傾斜面を構成している。具体的には、上壁部７２は、第１柱２８側よりも第２柱３０側が下方に位置するように傾斜している。
【００６０】
以上のように、本変形例に係る保護対象収容体７０では、第１実施形態のように上壁部１４が上開きする構成と異なり、扉７４が横開きする構成となっている。これにより、側壁を跨いで本体部１２の内部に入りやすくなり、使用性能を向上することができる。
【００６１】
＜参考例＞
次に、参考例に係る保護対象収容体８０について、図４を参照して説明する。なお、第１実施形態と同様の構成については、同じ符号を付し、適宜説明を省略する。
【００６２】
図４に示されるように、本参考例の保護対象収容体８０は、上部が開口された金属製の本体部８２と、本体部８２の開口８２Ｃを閉塞する金属製の上壁部８４とを含んで構成されている。
【００６３】
本体部８２は、底壁８２Ａと側壁８２Ｂとを含んで内部に保護対象を収容可能に構成されている。底壁８２Ａは、平面視で略円形に形成されており、この底壁８２Ａの周端部に側壁８２Ｂが立設されている。
【００６４】
側壁８２Ｂは、略円筒状に形成されており、この側壁８２Ｂの上端部には開口８２Ｃが形成されている。また側壁８２Ｂの上端部には、牽引フック６８が設けられており、側壁８２Ｂにおける牽引フック６８が設けられた部分と対向する部分の下端部には、牽引フック６９が設けられている。
【００６５】
ここで、側壁８２Ｂには内部空間と外部空間とを連通する通気孔２６が形成されている。また、側壁８２Ｂの内面には、左右一対の拘束ベルト４８が設けられている。さらに、拘束ベルト４８の上方には、円弧状に形成された頭部クッション８７が設けられている。
【００６６】
ここで、本参考例における保護対象収容体８０の内部には、生活に必要な機能を備えた生活機能品としての便器８６が収容されている。すなわち、本参考例の保護対象収容体８０は、個室のトイレとして利用される。
【００６７】
なお、便器８６は一例として水洗式であり、本体部８２の外部から図示しない水道管が接続されている。また、便器８６における水道管の接続部分には、災害時などの際に水道管を強制的に遮断する開閉弁が設けられており、便器８６から水道管が外れた際に、開閉弁が閉弁することで、本体部８２の内部に水が浸入するのを抑制する構造となっている。
【００６８】
上壁部８４は、略楕円状に形成されており、ヒンジ８８を介して本体部８２の側壁８２Ｂに連結されている。また、上壁部８４の中央部には、強化ガラスで形成された窓部８４Ａが設けられている。このため、上壁部８４を閉じた状態でも、本体部８２の内側の利用者が外部の状況を視認することができる。
【００６９】
ここで、上壁部８４は、その全体が直線的に傾斜した傾斜面を構成している。具体的には、上壁部８４は牽引フック６８が設けられた部分から、対向する部分へ向かうにつれて下方に位置するように傾斜されている。そして、上壁部８４の下端が本体部８２に接続されている。
【００７０】
（作用）
次に、本参考例の作用を説明する。
【００７１】
本参考例では、本体部８２の内部に予め生活機能品である便器８６が収容されているため、日常的に保護対象収容体８０を個室のトイレとして利用することができる。そして、災害時には、保護対象収容体８０の内部に逃げ込むことで、災害から身を守ることができる。この結果、専用のシェルターなどを用意する必要がない。その他の作用については第１実施形態と同様である。
【００７２】
＜参考例＞
次に、参考例に係る保護対象収容体９０について、図５を参照して説明する。なお、第１実施形態と同様の構成については、同じ符号を付し、適宜説明を省略する。
【００７３】
図５には、３つの保護対象収容体９０が配列された状態が示されており、それぞれの保護対象収容体９０は、描かれたイラストを除いて略同一の構成とされている。以下、イラストＧ１が描かれた保護対象収容体９０について説明する。
【００７４】
保護対象収容体９０は、内部に保護対象を収容可能な金属製の本体部９２と、本体部９２の上部の開口を閉塞する金属製の上壁部９４とを含んで構成されている。
【００７５】
本体部９２は、平面視で略矩形状の底壁９２Ａと、底壁９２Ａの周端部に立設された４つの側壁９２Ｂとを含んで構成されている。また、４つの側壁９２Ｂのうち、イラストＧ１が描かれた側壁９２Ｂが最も低く形成されており、この側壁９２Ｂと対向する側壁９２Ｂが最も高く形成されている。そして、最も高い側壁９２Ｂには、内部空間と外部空間とを連通する通気孔２６が形成されている。
【００７６】
また、通気孔２６が形成された側壁９２Ｂの上端部には、牽引フック９５が設けられている。牽引フック９５は、側壁９２Ｂの幅方向一端部と他端部とを連結するように略アーチ状に形成されており、側壁９２Ｂを補強する補強部材としても機能している。
【００７７】
上壁部９４は、直線的に傾斜した傾斜面によって本体部９２を構成する側壁９２Ｂ同士を連結している。具体的には、上壁部９４は、平板状の部材によって形成されており、最も高い側壁９２Ｂ側から最も低い側壁９２Ｂ側へ向かうにつれて下方に位置するように傾斜している。そして、上壁部９４の下端が本体部９２に接続されている。
【００７８】
ここで、本体部９２には、イラストＧ１としてウサギを模した形状のイラストが描かれている。また、イラストＧ１が描かれた保護対象収容体９０の隣に配設された保護対象収容体９０の本体部９２には、クマを模した形状のイラストＧ２が描かれている。さらに、イラストＧ２が描かれた保護対象収容体９０の隣に配設された保護対象収容体９０の本体部９２には、子供を模した形状のイラストＧ３が描かれている。
【００７９】
（作用）
次に、本参考例の作用を説明する。
【００８０】
本参考例の保護対象収容体９０は、例えば公園などに配設されることで、遊具として利用される。また、本体部９２の外面にイラストＧ１〜Ｇ３を描くことにより、保護対象収容体９０に対する災害のイメージを払拭することができる。特に、子供に対して楽しいイメージを付与することができ、災害時に抵抗なく保護対象収容体９０に入るように促すことができる。その他の作用については第１実施形態と同様である。
【００８１】
なお、本参考例では、イラストとしてウサギ、クマ及び子供を模したイラストを描いたが、これに限定されない。例えば、子供に人気のあるキャラクタのイラストが描かれていてもよい。また、イラストと共に模様が描かれていてもよい。
【００８２】
＜参考例＞
次に、参考例に係る保護対象収容体１００について、図６を参照して説明する。なお、第１実施形態と同様の構成については、同じ符号を付し、適宜説明を省略する。
【００８３】
本参考例に係る保護対象収容体１００は、金属製の本体部１０２と、本体部１０２に形成された通気孔２６と、本体部１０２の上部の開口を閉塞する金属製の上壁部１０４とを含んで構成されている。
【００８４】
本体部１０２の外面には牽引フック１０６が設けられており、この牽引フック１０６は、本体部１０２を補強する補強部材としても機能する。
【００８５】
本体部１０２の内部には、生活に必要な機能を備えた生活機能品としてのベッド１０８が収容されている。
【００８６】
上壁部１０４は、略四角錐状に形成されており、直線的に傾斜した複数の傾斜面１０４Ａ〜１０４Ｄによって本体部１０２を構成する側壁同士を連結している。具体的には、隣り合う傾斜面１０４Ａと傾斜面１０４Ｂとの稜線が上壁部１０４の頂点から本体部１０２の角部へ延びている。
【００８７】
同様に、隣り合う傾斜面１０４Ａと傾斜面１０４Ｄとの稜線が上壁部１０４の頂点から本体部１０２の別の角部へ延びており、隣り合う傾斜面１０４Ｂと傾斜面１０４Ｃとの稜線が上壁部１０４の頂点から本体部１０２の別の角部へ延びている。また、隣り合う傾斜面１０４Ｃと傾斜面１０４Ｄとの稜線が上壁部１０４の頂点から本体部１０２の別の角部へ延びている。そして、それぞれの傾斜面１０４Ａ〜１０４Ｄの下端が本体部１０２に接続されている。
【００８８】
（作用）
次に、本参考例の作用を説明する。
【００８９】
本参考例では、本体部１０２の内部に予め生活機能品であるベッド１０８が収容されているため、日常的に保護対象収容体１００を仮眠室などとして利用することができる。そして、災害時には、保護対象収容体１００の内部に逃げ込むことで、災害から身を守ることができる。この結果、専用のシェルターなどを用意する必要がない。
【００９０】
また、上壁部１０４は、直線的に傾斜した複数の傾斜面１０４Ａ〜１０４Ｄによって本体部１０２の側壁同士を連結する。これにより、地震などの災害時において上壁部１０４に落下物が衝突した場合であっても、上壁部１０４によって落下物をいなすことができる。この結果、落下物から入力された荷重方向が横方向ベクトルに分散され、落下物の重量を上壁部１０４で負担せずに済む。
【００９１】
また、上壁部１０４の傾斜面１０４Ａ〜１０４Ｄが直線状に傾斜されているため、軸圧縮する方向に荷重が入力され、オイラー座屈モードとなるように上壁部１０４から本体部１０２へ荷重を伝達させることができる。本参考例では、上壁部１０４と本体部１０２との接合部分では曲げモードで変形するものの、傾斜面１０４Ａ〜１０４Ｄには軸圧縮する方向に荷重が入力されることとなり、上壁部を湾曲させた構造や、上壁部をアーチ状に形成した構成と比較して、同じ肉厚で強度を向上させることができる。
【００９２】
さらに、本参考例の保護対象収容体１００は、中央部分の空間が最も大きくなるため、内部のベッド１０８上に寝ている状態の利用者Ｐが圧迫感を感じることを抑制することができる。その他の作用については第１実施形態と同様である。
【００９３】
＜参考例＞
次に、参考例に係る保護対象収容体１１０について、図７を参照して説明する。なお、第１実施形態と同様の構成については、同じ符号を付し、適宜説明を省略する。
【００９４】
本参考例に係る保護対象収容体１１０は、金属製の本体部１１２と、本体部１１２の上部の開口を閉塞する金属製の上壁部１１４とを含んで構成されている。本体部１１２は、略矩形状の図示しない底壁を備えている。また、底壁には、一対の補強部材１１６が設けられている。補強部材１１６はそれぞれ、略Ｕ字状に形成されており、本体部１１２を補強している。また、補強部材１１６は、牽引フックとしても機能する。
【００９５】
ここで、一対の補強部材１１６の間には、ゴムシューズ１１７が取り付けられている。ゴムシューズ１１７は、底壁から下方へ突出されており、ゴムシューズ１１７と底壁との間は隙間なくシールされている。このため、本体部１１２の内部の利用者Ｐがゴムシューズ１１７に足を入れて歩くことができるようになっている。
【００９６】
底壁の４辺のうちの対向する２辺の周端部には、側壁１１２Ｂが立設されている（図７では、一方の側壁１１２Ｂのみが図示されている）。
【００９７】
側壁１１２Ｂは、上下方向を長手方向とする略矩形状に形成されており、この側壁１１２Ｂには腕を通すための開口１１２Ｃが形成されている。また、側壁１１２Ｂにはヒンジ１２１を介して開口１１２Ｃを閉塞するカバー体１２０が連結されており、このカバー体１２０は、開口１１２Ｃに対応する形状に形成されている。そして、本体部１１２の内部の利用者Ｐがカバー体１２０を手Ｈで押すことで、開口１１２Ｃから手Ｈを出すことができるように構成されている。なお、図示はしないが、対向する側壁にも同様に開口を閉塞するカバー体が設けられている。
【００９８】
側壁１１２Ｂの後端部同士は図示しない後壁によって連結されている。また、側壁１１２Ｂの前端部同士は、前壁１１２Ａによって連結されており、この前壁１１２Ａは、上下一対のヒンジ１１５を介して側壁に連結されている。このため、ヒンジ１１５を中心に前壁１１２Ａを開くことで、保護対象収容体１１０の内部に利用者Ｐが入ることができる。また、前壁１１２Ａを閉じた状態では、前壁１１２Ａと側壁１１２Ｂとの間、及び前壁１１２Ａと底壁との間が図示しないシール材によって隙間なくシールされる。
【００９９】
前壁１１２Ａは、本体部１１２の内部に利用者Ｐが収容された状態で、利用者Ｐの正面に位置しており、この前壁１１２Ａには顔をイメージさせるイラストが描かれている。具体的には、前壁１１２Ａの上部に目を模した一対の円と、眉毛を模した一対の円弧とが描かれている。なお、目を模した円は、強化ガラスなどの透明な材質で形成してもよい。
【０１００】
前壁１１２Ａの中央部には、内部空間と外部空間とを連通する通気孔２６が形成されている。また、この通気孔２６は、顔のイラストにおける鼻の位置に形成されている。さらに、通気孔２６の下方には、ヒンジ１１９を介して小窓部１１８が開閉可能に連結されており、この小窓部１１８において、イラストの口の位置には、把持部１１８Ａが形成されている。
【０１０１】
本体部１１２の上方には上壁部１１４が設けられている。上壁部１１４は、直線的に傾斜した２つの傾斜面１１４Ａによって本体部１１２を構成する側壁１１２Ｂ同士を連結している。また、上壁部１１４と前壁１１２Ａとの間には隙間が形成されている。
【０１０２】
一方の傾斜面１１４Ａは、一対の側壁１１２Ｂの中間部分から一方の側壁１１２Ｂへ向かって傾斜しており、傾斜面１１４Ａの下端が側壁１１２Ｂに接続されている。他方の傾斜面１１４Ａは、一対の側壁１１２Ｂの中間部分から他方の側壁１１２Ｂへ向かって傾斜しており、傾斜面１１２Ｂの下端が側壁１１２Ｂに接続されている。このため、上壁部１１４は、正面から見て上下逆にした略Ｖ字状に形成されている。
【０１０３】
傾斜面１１４Ａにはそれぞれ牽引フック１２２が一体に形成されている。牽引フック１２２は、上下逆にした略Ｕ字状に形成されており、前壁１１２Ａに描かれたキャラクタの耳を模した形状となっている。
【０１０４】
（作用）
次に、本参考例の作用を説明する。
【０１０５】
本参考例では、非常時に本体部１１２の内部に避難した利用者Ｐが、非難した状態で歩くことで、保護対象収容体１１０を移動させることができる。そのほかの作用については第１参考例と同様である。
【０１０６】
＜参考例＞
次に、参考例に係る保護対象収容体１３０について、図８を参照して説明する。なお、第１実施形態と同様の構成については、同じ符号を付し、適宜説明を省略する。
【０１０７】
図８に示されるように、本参考例に係る保護対象収容体１３０は、内部に保護対象を収容可能な金属製の本体部１３２と、本体部１３２の開口を閉塞する金属製の上壁部１３４とを含んで構成されている。また、本参考例では、本体部１３２及び上壁部１３４が共に複数の傾斜面によって構成されている。
【０１０８】
本体部１３２の下部には前輪１３６及び後輪１３８が設けられている。また、本体部１３２には、牽引フック１３９が設けられている。また、本体部１３２の上部には、通気孔２６が形成されている。
【０１０９】
上壁部１３４は、直線状に傾斜した２つの傾斜面１３４Ａを含んで構成されている。また、上壁部１３４には３つの牽引フック１４０が設けられている。
【０１１０】
ここで、本参考例の保護対象収容体１３０は、全体がキャラクタの頭部をイメージしたイラストで描かれている。具体的には、本体部１３２を構成する複数の傾斜面のうち、２つの傾斜面に顔が描かれている。また、本体部１３２の他の傾斜面及び上壁部１３４の傾斜面１３４Ａは、黒色に塗られており、キャラクタの髪を表現している。さらに、３つの牽引フック１４０は、キャラクタの髷を模した形状となっている。
【０１１１】
（作用）
次に、本参考例の作用を説明する。
【０１１２】
本参考例では、保護対象収容体１３０の全体にキャラクタの頭部のイラストが描かれているため、災害のイメージを払拭することができる。また、前輪１３６及び後輪１３８によって容易に搬送することができる。さらに、本体部１３２及び上壁部１３４を複数の傾斜面で構成したことにより、保護対象収容体１３０に入力された荷重を分散させやすい。その他の作用については第１実施形態と同様である。
【０１１３】
＜参考例＞
次に、参考例に係る保護対象収容体１５０について、図９を参照して説明する。なお、第１実施形態と同様の構成については、同じ符号を付し、適宜説明を省略する。
【０１１４】
図９に示されるように、本参考例に係る保護対象収容体１５０は、内部に保護対象を収容可能な金属製の本体部１５２と、本体部１５２の上部の開口を閉塞する金属製の上壁部１５４とを含んで構成されている。特に、本参考例に係る保護対象収容体１５０は、上記第１実施形態と比較して、内部の容量が大きいガレージタイプの収容体となっている点で異なる。
【０１１５】
本体部１５２は、枠状に形成された枠体１５２Ａと、枠体１５２Ａに取り付けられた複数の開閉扉１５２Ｂとを含んで構成されている。開閉扉１５２Ｂはそれぞれ、枠体１５２Ａに開閉可能に取付けられており、取手部１５８を備えている。また、開閉扉１５２Ｂには、強化ガラスで形成された窓部１５６が設けられている。
【０１１６】
上壁部１５４は、直線的に傾斜した８つの傾斜面１５４Ａと、傾斜面１５４Ａと本体部１５２とを連結する立壁部１５４Ｂとを含んで構成されている。そして、上壁部１５４の稜線は、平面視で中心から八方へ放射状に延びており、４つの稜線が本体部１５２の４つの角に接続されている。
【０１１７】
（作用）
次に、本参考例の作用を説明する。
【０１１８】
本参考例では、保護対象収容体１５０の内部に多くの保護対象体を収容することができる。また、保護対象収容体１５０の内部に、第１実施形態で説明した保護対象収容体１５０を収容してもよい。
【０１１９】
以上、実施形態及び変形例について説明したが、本発明の要旨を逸脱しない範囲において、種々なる態様で実施し得ることは勿論である。例えば、上記実施形態では、生活機能品として、椅子５０、机５２、便器８６、ベッド１０８が収容された構成について説明したが、これに限定されず、他の生活機能品が収容された構成としてもよい。例えば、シャワー、遊具、キッチンなどが収容された構成としてもよい。
【０１２０】
また、上記実施形態及び参考例で説明した保護対象収容体１０、７０、８０、９０、１００、１１０を複数連結することで、車及び船などの乗物の一部を構成してもよい。例えば、複数の保護対象収容体１０を連結して車のボデーや、船の船首を構成してもよい。
【符号の説明】
【０１２１】
１０、７０、８０、９０、１００、１１０、１３０、１５０  保護対象収容体、
１２、８２、９２、１０２、１１２  本体部、
１２Ａ  開口、１４、７２、８４、９４、１０４、１１４  上壁部、
１６  底壁、１８  第１側壁、２０  第２側壁、２２  第３側壁、２４  第４側壁、
２６  通気孔、２８  第１柱、３０  第２柱、３２  第３柱、３４  第４柱、
５０  椅子（生活機能品）、５２  机（生活機能品）、
６８、６９、９５、１０６、１２２  牽引フック、８６  便器（生活機能品）、
１０４Ａ〜１０４Ｄ  傾斜面、１０８  ベッド（生活機能品）、
Ｇ１、Ｇ２、Ｇ３  イラスト
【要約】
【課題】重量の増加を抑制しつつ、保護対象を良好に保護することができる保護対象収容体を得る。
【解決手段】保護対象収容体１０は、底壁１６及び側壁を含んで金属で形成され、内部に保護対象を収容可能な本体部１２と、側壁２０に形成され、内部空間と外部空間とを連通する通気孔２６と、金属で形成され、直線的に傾斜した１つ又は複数の傾斜面によって本体部１２の上部の開口１２Ａを閉塞すると共に、該傾斜面の下端が本体部１２に接続された上壁部１４と、を有する。
【選択図】図１【図１】
0006793929.tif 000002
【図２】
0006793929.tif 000003
【図３】
0006793929.tif 000004
【図４】
0006793929.tif 000005
【図５】
0006793929.tif 000006
【図６】
0006793929.tif 000007
【図７】
0006793929.tif 000008
【図８】
0006793929.tif 000009
【図９】
0006793929.tif 000010